(57)【特許請求の範囲】
【請求項１】
原稿を読み取る読取部と，
前記原稿の隅に折れ込みがあるか否かを判断する判断部と，
前記読取部にて読み取った原稿の画像データを記憶する画像領域と，前記画像データ以外のデータを記憶する非画像領域とを有し，前記判断部にて判断された折れ込みの有無とページ番号とを対応付けて記憶する情報である折れ込み情報を前記非画像領域に書き込んだファイルを生成する生成部と，
を備えることを特徴とする画像読取システム。
【請求項２】
請求項１に記載する画像読取システムにおいて，
前記生成部は，前記読取部で読み取った原稿の画像データを，一方のページの画像データと他方のページの画像データとに区別し，２ページ分の画像データとして前記ファイルに書き込む分割モードの際，折れ込みがあるページに折れ込みがあることを示す前記折れ込み情報を前記非画像領域に書き込むことを特徴とする画像読取システム。
【請求項３】
請求項１または請求項２に記載する画像読取システムにおいて，
前記判断部は，折れ込みが山折りか谷折りかを区別し，あらかじめ定めた一方の折りである場合に，折れ込みがあると判断することを特徴とする画像読取システム。
【請求項４】
請求項１から請求項３のいずれか１つに記載する画像読取システムにおいて，
前記判断部にて折れ込みがあると判断した場合に，その折れ込みの位置を特定する特定部を備え，
前記折れ込み情報には，前記特定部にて特定した折れ込みの位置に関する情報である位置情報が含まれることを特徴とする画像読取システム。
【請求項５】
請求項４に記載する画像読取システムにおいて，
前記特定部は，前記位置情報を，前記読取部で読み取った原稿の画像を２つに分割し，２ページ分の画像としてファイルを生成する分割モードでは上下の２分類で特定し，前記読取部で読み取った原稿の画像を分割せず，１ページ分の画像としてファイルを生成する非分割モードでは上下左右の４分類で特定することを特徴とする画像読取システム。
【請求項６】
請求項１から請求項５のいずれか１つに記載する画像読取システムにおいて，
前記非画像領域に前記折れ込み情報を書き込むか否かをユーザに確認する確認部を備え，
前記生成部は，前記確認部にて前記非画像領域に前記折れ込み情報を書き込まないことが確認された場合，前記折れ込み情報を前記非画像領域に書き込まないことを特徴とする画像読取システム。
【請求項７】
請求項６に記載する画像読取システムにおいて，
前記確認部は，前記判断部にて折れ込みがあると判断された場合に，前記非画像領域に前記折れ込み情報を書き込むか否かをユーザに確認することを特徴とする画像読取システム。
【請求項８】
請求項７に記載する画像読取システムにおいて，
原稿が複数枚あり，各原稿の折れ込み情報を前記非画像領域に書き込む場合，
前記確認部は，その原稿群のうちのある原稿に折れ込みがあってユーザに確認を行った後は，前記ある原稿以外の原稿に折れ込みがあると判断されたとしてもユーザに確認は行わず，
前記生成部は，前記ある原稿の折れ込みに対応して前記非画像領域に前記折れ込み情報を書き込むことが確認された場合には，その後に読み取られた前記ある原稿以外の原稿に対する前記折れ込み情報も前記非画像領域に書き込み，前記ある原稿の折れ込みに対応して前記非画像領域に前記折れ込み情報を書き込まないことが確認された場合には，その後に読み取られた前記ある原稿以外の原稿に対する前記折れ込み情報も前記非画像領域に書き込まないことを特徴とする画像読取システム。
【請求項９】
請求項１から請求項８のいずれか１つに記載する画像読取システムにおいて，
前記判断部は，原稿の画像データのうち原稿の隅部に対応する箇所に直角三角形の画像がある場合には，折れ込みがあると判断することを特徴とする画像読取システム。
【請求項１０】
請求項１から請求項９のいずれか１つに記載する画像読取システムにおいて，
原稿が複数枚あり，各原稿の折れ込み情報を前記非画像領域に書き込む場合，
前記生成部は，前記ファイルの１つの前記非画像領域に，各原稿の折れ込み情報を書き込むことを特徴とする画像読取システム。
【請求項１１】
請求項１から請求項９のいずれか１つに記載する画像読取システムにおいて，
原稿が複数枚あり，各原稿の折れ込み情報を前記非画像領域に書き込む場合，
前記生成部は，前記ファイルの各原稿の画像データに対応する個々の前記非画像領域に，各原稿の折れ込み情報をそれぞれ書き込むことを特徴とする画像読取システム。
【請求項１２】
原稿を読み取る読取部と，
前記原稿の隅に折れ込みがあるか否かを判断する判断部と，
前記読取部にて読み取った原稿の画像データを記憶する画像領域と，前記画像データ以外のデータを記憶する非画像領域とを有するファイルを生成し，前記判断部にて折れ込みがあると判断された場合，読み取った原稿に折れ込みがあることを示す情報である折れ込み情報を，前記非画像領域に書き込む生成部と，
前記判断部にて折れ込みがあると判断された場合に，前記非画像領域に前記折れ込み情報を書き込むか否かをユーザに確認する確認部と，
を備え，
原稿が複数枚あり，各原稿の折れ込み情報を前記非画像領域に書き込む場合，
前記確認部は，その原稿群のうちのある原稿に折れ込みがあってユーザに確認を行った後は，前記ある原稿以外の原稿に折れ込みがあると判断されたとしてもユーザに確認は行わず，
前記生成部は，前記ある原稿の折れ込みに対応して前記非画像領域に前記折れ込み情報を書き込むことが確認された場合には，その後に読み取られた前記ある原稿以外の原稿に対する前記折れ込み情報も前記非画像領域に書き込み，前記ある原稿の折れ込みに対応して前記非画像領域に前記折れ込み情報を書き込まないことが確認された場合には，その後に読み取られた前記ある原稿以外の原稿に対する前記折れ込み情報も前記非画像領域に書き込まないことを特徴とする画像読取システム。
【請求項１３】
原稿を読み取る読取部と，
前記原稿の隅に折れ込みがあるか否かを判断する判断部と，
前記読取部にて読み取った原稿の画像データを記憶する画像領域と，前記画像データ以外のデータを記憶する非画像領域とを有し，前記判断部にて判断された折れ込みの有無とページ番号とを対応付けて記憶する情報である折れ込み情報を前記非画像領域に書き込んだファイルを生成する生成部と，
を備えることを特徴とする画像読取装置。
【発明の詳細な説明】
【技術分野】
【０００１】
本発明は，原稿を読み取る画像読取システムおよび画像読取装置に関する。さらに詳細には，読み取った原稿の画像データに基づくファイルを作成する画像読取システムおよび画像読取装置に関するものである。
【背景技術】
【０００２】
近年，タッチパネルを備えた携帯情報端末装置の普及が進んでいる。携帯情報端末装置は電子書籍の閲覧が可能なものもあることから，製本済みの書籍を電子化するニーズがある。そこで，本などの綴じられた原稿を，見開きの状態で読み取る機能を有する画像読取装置が実用化されている。画像読取装置は，見開きの状態の原稿（見開き原稿）を読み取った後，その原稿の画像データに基づく電子ファイルを作成する。
【０００３】
書籍を読み取り対象とする画像読取装置としては，例えば特許文献１に開示されている画像読取装置がある。特許文献１の画像読取装置では，見開き原稿を読み取り，右側のページの画像と，左側のページの画像とで別々に画像補正を行う技術が開示されている。
【先行技術文献】
【特許文献】
【０００４】
【特許文献１】特開２００５−２６９０９５号公報
【発明の概要】
【発明が解決しようとする課題】
【０００５】
しかしながら，従来の画像読取装置には，次のような問題があった。すなわち，書籍においては，気になるページの隅を折り，その折れ込み（dog-ear）を目印として後からそのページの閲覧を容易にする習慣，すなわち書籍に目印を付ける習慣がある。書籍を電子化するにあたっては，この目印の情報が上手く引き継げていない。
【０００６】
本発明は，前記した従来の技術が有する問題点を解決するためになされたものである。すなわちその課題とするところは，折れ込みの情報をファイルに引き継ぐ画像読取システムおよび画像読取装置を提供することにある。
【課題を解決するための手段】
【０００７】
この課題の解決を目的としてなされた画像読取システムは，原稿を読み取る読取部と，前記原稿の隅に折れ込みがあるか否かを判断する判断部と，前記読取部にて読み取った原稿の画像データを記憶する画像領域と，前記画像データ以外のデータを記憶する非画像領域とを有するファイルを生成し，前記判断部にて折れ込みがあると判断された場合，読み取った原稿に折れ込みがあることを示す情報である折れ込み情報を，前記非画像領域に書き込む生成部とを備えることを特徴としている。
【０００８】
本発明の画像読取システムは，原稿を読み取った際，その原稿の隅に折れ込みがあるか否かを判断する。折れ込みの有無は，例えば，原稿の画像データを解析し，画像の隅部に折れ込みと思われる画像（例えば，直角三角形の画像）が含まれるか否かによって判断できる。そして，原稿に折れ込みがあると判断された場合には，その原稿の画像データを記憶するファイルに対し，そのファイルの非画像領域に折れ込み情報を書き込む。
【０００９】
すなわち，本発明の画像読取システムでは，読み取った原稿に折れ込みがあった場合，読み取った原稿に折れ込みがあることを示す情報である折れ込み情報を，その原稿の画像データを記憶するファイルに書き込む。これにより，原稿の内容を電子化するにあたって，原稿に付された折れ込みについての情報を，その原稿の画像データを記憶するファイルに引き継ぐことができる。
【００１０】
また，本発明の画像読取システムの前記生成部は，前記読取部で読み取った原稿の画像を２つに分割し，２ページ分の画像としてファイルを生成する分割モードの際，折れ込みがあるページに折れ込みがあることを示す前記折れ込み情報を前記非画像領域に書き込むとよい。この構成によると，分割した結果，折れ込みが有るページについては折れ込み情報が書き込まれるが，折れ込みが無いページについては折れ込み情報が書き込まれない。そのため，適切なページに折れ込み情報が書き込まれることになり，利便性が高まる。
【００１１】
また，本発明の画像読取システムの前記判断部は，折れ込みが山折りか谷折りかを区別し，あらかじめ定めた一方の折りである場合に，折れ込みがあると判断するとよい。折れ込みは，一方の面に目印を付ける傾向にある。そのため，他方の面には折れ込み情報を付けない方が望ましい。
【００１２】
また，本発明の画像読取システムは，前記判断部にて折れ込みがあると判断した場合に，その折れ込みの前記画像データ内での位置を特定する特定手段を備え，前記折れ込み情報には，前記特定部にて特定した折れ込みの位置に関する情報である位置情報が含まれるとよい。位置情報としては，画像データ中の折れ込みの座標でもよいし，右上，右下，左上，左下の４隅の情報であってもよい。ユーザによっては，折れ込みの位置の違いで意味を区別していることがある。本構成のように，折れ込みの位置を特定する情報を書き込むことで，折れ込みの位置情報をも引き継ぐことができ，より利便性が向上する。
【００１３】
また，上記の画像読取システムの前記特定部は，前記位置情報を，前記読取部で読み取った原稿の画像を２つに分割し，２ページ分の画像としてファイルを生成する分割モードでは上下の２分類で特定し，前記読取部で読み取った原稿の画像を分割せず，１ページ分の画像としてファイルを生成する非分割モードでは上下左右の４分類で特定するとよい。画像を分離するか否かのモードの違いによって位置情報の内容を変える方が，より利便性が向上する。
【００１４】
また，本発明の画像読取システムは，前記ファイルに前記折れ込み情報を書き込むか否かをユーザに確認する確認部を備え，前記生成部は，前記確認部にて前記ファイルに前記折れ込み情報を書き込まないことが確認された場合，前記折れ込み情報を前記ファイルに書き込まないとよい。折れ込み情報を活用したい場合とそうでない場合とがある。また，ユーザの意図しない折り込みがあることも考えられる。そのため，ユーザの意向を確認する方が望ましい。
【００１５】
また，上記の画像読取システムの前記確認部は，前記判断部にて折れ込みがあると判断されたことを契機に，前記ファイルに前記折れ込み情報を書き込むか否かをユーザに確認するとよい。折れ込みがない場合，ユーザ確認は不要である。本構成のように，折れ込みがあった場合にユーザに問い合わせることで，ユーザの手間を軽減できる。
【００１６】
また，上記の画像読取システムは，原稿が複数枚ある場合，前記確認部は，その原稿群のうちのある原稿に折れ込みがあってユーザによる確認を行った後は，前記ある原稿以外の原稿に折れ込みがあると判断されたとしてもユーザによる確認は行わず，前記生成部は，前記ある原稿の折れ込みよる前記確認部の確認にて，前記ファイルに前記折れ込み情報を書き込むことが確認された場合には，前記ある原稿以外の原稿に対する前記折れ込み情報も前記ファイルに書き込み，前記ファイルに前記折れ込み情報を書き込まないことが確認された場合には，前記ある原稿以外の原稿に対する前記折れ込み情報も前記ファイルに書き込まないとよい。折れ込みがある度にユーザ確認を行うとユーザにとって手間である。そのため，１度確認を行った後はその確認結果に従ってファイルを生成し，ユーザ確認を行わない方が好ましい。
【００１７】
また，本発明は，原稿を読み取る読取部と，前記原稿の隅に折れ込みがあるか否かを判断する判断部と，前記読取部にて読み取った原稿の画像データを記憶する画像領域と，前記画像データ以外のデータを記憶する非画像領域とを有するファイルを生成し，前記判断部にて折れ込みがあると判断された場合，読み取った原稿に折れ込みがあることを示す情報である折れ込み情報を，前記非画像領域に書き込む生成部とを備えることを特徴とする画像読取装置を含んでいる。
【発明の効果】
【００１８】
本発明によれば，折れ込みの情報をファイルに引き継ぐ画像読取システムおよび画像読取装置が実現される。
【図面の簡単な説明】
【００１９】
【図１】実施の形態にかかるＭＦＰの外観を示す斜視図である。
【図２】図１に示したＭＦＰのＡＤＦを開放した状態を示す斜視図である。
【図３】図１に示したＭＦＰの画像読取部の内部構成（図１のＡ−Ａ断面）を示す断面図である。
【図４】図１に示したＭＦＰの電気的構成を示すブロック図である。
【図５】ＭＦＰのブックスキャン処理の手順を示すフローチャートである。
【図６】折れ込みが存在する原稿の，画像データの一例を示す図である。
【図７】ブックスキャン処理中のファイル作成処理の手順を示すフローチャートである。
【図８】ファイルの構成（その１）を示す図である。
【図９】ファイルの構成（その２）を示す図である。
【図１０】ファイルの内容を表示するビューワの一例を示す図である。
【発明を実施するための形態】
【００２０】
以下，本発明にかかる画像読取装置を具体化した実施の形態について，添付図面を参照しつつ詳細に説明する。本形態は，スキャン機能，プリント機能，およびファイル出力機能を備えた複合機（ＭＦＰ：Multi Function Peripheral ）に本発明を適用したものである。
【００２１】
［ＭＦＰの構成］
本形態のＭＦＰ１００は，図１に示すように，用紙に画像を印刷する画像形成部１と，原稿の画像を読み取る画像読取部２（読取部の一例）とを備えている。画像形成部１の画像形成方式は，電子写真方式であっても，インクジェット方式であってもよい。また，カラー画像の形成が可能であっても，モノクロ画像専用であってもよい。
【００２２】
また，ＭＦＰ１００は，その前面側に，各種のボタン（例えば，スタートキー，ストップキー，テンキーの各ボタン）によって構成されるボタン群４１，液晶ディスプレイからなる表示部４２を備えた操作パネル４０を備えている。このボタン群４１や表示部４２により，動作状況の表示やユーザによる操作の入力が可能になっている。
【００２３】
［画像読取部の構成］
続いて，画像読取部２の構成について，図１，図２および図３を参照しつつ説明する。なお，図１および図２は，画像読取部２の外観を示し，図３は画像読取部２の内部構成を示している。
【００２４】
画像読取部２は，画像の読み取りを行う本体部１０と，原稿の自動搬送を行う自動原稿供給装置（ＡＤＦ：Auto Document Feeder）２０とを備えている。ＡＤＦ２０は，本体部１０の上方に位置するとともに一辺が本体部１０と接続し，本体部１０に対して回動自在に設けられている。そのため，画像読取部２は，ＡＤＦ２０によって本体部１０の上面を開閉することができる（図２参照）。つまり，ＡＤＦ２０は，本体部１０の上面を覆うカバーを兼ねる。
【００２５】
本体部１０は，その上面に，コンタクトガラス１１，１２を備えている。さらに，本体部１０の内部であってコンタクトガラス１１，１２の下方には，原稿の画像を読み取るイメージセンサ１５が設けられている。イメージセンサ１５は，主走査方向（図３の奥行き方向）に光学素子が一列に並んで配置されており，原稿からの反射光を電気信号に変換して出力する。イメージセンサ１５としては，例えば，ＣＩＳ（Contact Image Sensor）やＣＣＤ（Charge Coupled Device）が適用可能である。
【００２６】
イメージセンサ１５は，スライド軸１３に対してスライド自在に支持されている。このスライド軸１３は，副走査方向（図３中の左右方向）に延び，両端部が本体部１０の筐体に固定されている。そのため，イメージセンサ１５は，図３中の左右方向に移動可能に設けられている。
【００２７】
ＡＤＦ２０は，読み取り前の原稿を載置する原稿トレイ２１と，読み取り後の原稿を載置する排出トレイ２２とを備えている。具体的に，原稿トレイ２１は，排出トレイ２２の上方に配設されている。また，ＡＤＦ２０の内部には，原稿が搬送される経路として，原稿トレイ２１と排出トレイ２２とを連結する略Ｕ字状の搬送路２５が設けられている。また，ＡＤＦ２０は，その下面に開口部２３が設けられ，その開口部２３から原稿押さえ板２４が露出するように配置されている。この原稿押さえ板２４は，ＡＤＦ２０を閉じた状態でコンタクトガラス１２と対向している。
【００２８】
ＡＤＦ２０は，原稿トレイ２１に載置された原稿を１枚ずつ取り出し，その原稿を本体部１０のコンタクトガラス１２（以下，「ＡＤＦガラス１２」とする）に対向する位置に搬送する。具体的には，原稿を原稿押さえ板２４とコンタクトガラス１２との間を通過させる。その後，その原稿を排出トレイ２２上に排出する。
【００２９】
また，イメージセンサ１５を利用した原稿の読取方式としては，フラットベッド（原稿固定走査）方式と，ＡＤＦ（原稿移動走査）方式とがある。フラットベッド方式の場合，原稿をコンタクトガラス１１（以下，「ＦＢガラス１１」とする）上に載置する。その状態で，イメージセンサ１５が副走査方向に移動し，その際に主走査方向に１ラインずつ原稿の画像が読み取られる。一方，ＡＤＦ方式の場合，複数の原稿を纏めて原稿トレイ２１に載置する。そして，イメージセンサ１５がＡＤＦガラス１２に対向する位置に移動し，固定される。その状態で，ＡＤＦ２０によって原稿が原稿押さえ板２４の下側であってＡＤＦガラス１２に対向する位置に搬送され，その際に主走査方向に１ラインずつ原稿の画像が読み取られる。
【００３０】
例えば，書籍等の綴じられた原稿を読み取る際には，図２のようにＡＤＦ２０を開放し，原稿を見開きの状態とし，読取面を下向きとしてＦＢガラス１１上にセットする。そして，ＡＤＦ２０を開放したまま，ユーザが原稿を押さえた状態で，イメージセンサ１５が副走査方向に移動することで，原稿を読み取る。
【００３１】
［ＭＦＰの電気的構成］
続いて，ＭＦＰ１００の電気的構成について説明する。ＭＦＰ１００は，図４に示すように，ＣＰＵ３１と，ＲＯＭ３２と，ＲＡＭ３３と，ＮＶＲＡＭ（Non Volatile RAM）３４と，ＡＳＩＣ３５と，ネットワークインターフェース３６と，ＵＳＢインターフェース３８とを備えた制御部３０を有している。
【００３２】
ＲＯＭ３２には，ＭＦＰ１００を制御するための各種制御プログラムや画像処理プログラム，各種設定，初期値等が記憶されている。ＲＡＭ３３は，各種制御プログラムが読み出される作業領域として，あるいは画像読取部２で読み取った原稿の画像データやネットワークインターフェース３６を介して送られてくる画像データを一時的に記憶する記憶領域として，利用される。ＮＶＲＡＭ３４は，不揮発性を有する記憶手段であって，各種設定や画像データ等を保存する記憶領域として利用される。
【００３３】
ＡＳＩＣ３５は，画像形成部１，画像読取部２，操作パネル４０，ＡＤＦ２０の開放を検知する開閉センサ４５等と電気的に接続されている。例えば，ＡＳＩＣ３５は，画像読取部２から画像データの信号を取得する。また，画像形成部１へ所望の画像を作成するための信号を出力する。また，ボタン群４１に入力される各種ボタンの信号を受け付ける。また，表示部４２に表示する内容の信号を出力する。
【００３４】
ＣＰＵ３１（判断部，生成部，特定部，確認部の一例）は，ＭＦＰ１００における画像読取機能，画像形成機能，さらにはファイル作成機能等の各種機能を実現するための演算を実行し，制御の中枢となるものである。ＣＰＵ３１は，ＲＯＭ３２から読み出した制御プログラムに従って，その処理結果をＲＡＭ３３またはＮＶＲＡＭ３４に記憶させながら，ＡＳＩＣ３５を介してＭＦＰ１００の各構成要素を制御する。また，ＣＰＵ３１は，例えば，ＲＯＭ３２から読み出したプログラムに従って，画像読取部２にて読み取った原稿の画像データに加工処理を施す。
【００３５】
ネットワークインターフェース３６は，ネットワークに接続され，このネットワークインターフェース３６を介して他の情報処理装置（不図示）とのデータ通信が可能になっている。また，ＵＳＢインターフェース３８は，ＵＳＢ接続が可能な周辺機器（不図示）に接続され，このＵＳＢインターフェース３８を介して外部の周辺機器等とデータ通信が可能になっている。
【００３６】
［ブックスキャンモード］
続いて，ＭＦＰ１００のブックスキャンモードについて説明する。ブックスキャンモードは，本などの綴じられた原稿を，見開きの状態で読み取り，さらに読み取った原稿の画像データを記憶する電子ファイルを作成するモードである。
【００３７】
ブックスキャンモードでは，フラットベッド方式によって見開き状態の原稿（見開き原稿）を読み取る。具体的に，ＭＦＰ１００は，ユーザによってブックスキャンモードが選択され，ＦＢガラス１１上に見開き原稿がセットされ，ボタン群４１中のスタートキーが押下されると，画像読取部２によって見開き原稿を読み取る。
【００３８】
見開き原稿の読み取り後，読み取りを継続するか否かをユーザに問い合わせる。読み取りの継続が選択された場合には，ユーザが次のページの見開き原稿をＦＢガラス１１上にセットし，読み取り開始指示を入力するのを待つ。そして，読み取り開始指示が入力されると，新たにセットされた見開き原稿を読み取る。一方，読み取りの終了が選択された場合には，終了が選択されるまでに読み取った１または複数の画像データを，複数の画像データを記憶できるファイル（例えばＰＤＦファイル）形式にてファイルの作成を行う。
【００３９】
また，ＭＦＰ１００は，見開き原稿の画像データを記憶する態様として，分割モードと非分割モードとを有している。分割モードでは，見開き原稿の画像データを，左側のページと右側のページとに２分割し，２ページ分の画像データとしてファイルに記憶する。非分割モードでは，見開き原稿の画像データを分割せず，１ページ分の画像データとしてファイルに記憶する。
【００４０】
［ブックスキャン処理］
以下，上記のブックスキャンモードでの動作を実現するブックスキャン処理（読取部，判断部，生成部，特定部，確認部の一例）の手順について，図５のフローチャートを参照しつつ説明する。ブックスキャン処理は，ブックスキャンモードが選択された状態で，ボタン群４１中のスタートキーが押下されたことを契機に実行される。
【００４１】
ブックスキャン処理では，先ず，各種の初期設定を取得する（Ｓ１０１）。初期設定としては，例えば，読み取り後の画像データについて原稿の綴じ部や枠外の影を消去するか否かの設定や，分割モードか非分割モードかの設定がある。さらに，分割モードの場合には，右開きか左開きかの設定がある。初期設定は，ブックスキャン処理を開始する前にユーザによって設定される。この初期設定は，ＮＶＲＡＭ３４等に記憶されたものでもよいし，Ｓ１０１が実行されるタイミングでユーザに問い合わせ，その際に設定されたものでもよい。
【００４２】
次に，スタートキーの押下を契機に，画像読取部２にて，ＦＢガラス１１上にセットされた原稿を読み取る（Ｓ１０２）。読み取った原稿の画像データは，ＲＡＭ３３に一時的に記憶される。
【００４３】
次に，Ｓ１０２で読み取った原稿の画像データを解析し，その画像データに原稿の折れ込みに相当する箇所を抽出する（Ｓ１０３）。原稿に折れ込みが存在する場合，その原稿の画像データには，図６に示すように，原稿の画像データ９中の４隅のいずれかに，折り目に相当する直線９１が存在する。原稿が折り込まれた隅部では次の原稿あるいは前の原稿の隅部が読み取られており，次の原稿あるいは前の原稿の隅にあたる直角部と直線９１とによって直角三角形の画像９０が形成される。そのため，この直角三角形の画像９０があるか否かを判断し，直角三角形の画像９０がある場合には，その画像９０を折れ込みとして抽出できる。
【００４４】
さらに，折れ込みが谷折りの場合には，直角三角形の画像９０の長辺９１（折り目）と共通の長辺を有する直角三角形の画像９２が存在する。そのため，直角三角形の画像９０と隣接する領域に直角三角形の画像９２があるか否かによって，抽出された折れ込みが谷折りか山折りかを判断できる。さらに，画像９０と画像９２とはほぼ同じ図形となる。そのため，画像９０と画像９２との面積を比較し，同等の範囲であれば谷折りであると判断してもよい。
【００４５】
ＭＦＰ１００では，原稿の折れ込みを判断するための折れ込み判断設定として，山折りを折れ込みとするのか，谷折りを折れ込みとするのか，それとも両方とも折れ込みとするのかの設定をあらかじめ記憶している。Ｓ１０１では，この折れ込み判断設定も取得する。そして，Ｓ１０３では，折れ込み判断設定にて折れ込みとすることが設定された折りの折れ込みのみを抽出する。換言すると，折れ込み判断設定にて折れ込みとしないことが設定された折りの折れ込みは抽出しない。
【００４６】
次に，Ｓ１０３の解析の結果，折れ込みが抽出されたか否かを判断する（Ｓ１０４）。折れ込みが抽出された場合には（Ｓ１０４：ＹＥＳ），折れ込みに関する情報（折れ込み情報）をファイルに登録するか否かを判断する（Ｓ１０５）。すなわち，原稿の折り込みには，ユーザが意図的に折り込んだものと，意図せずに折り込まれたものとがある。Ｓ１０５ではこれを区別する。本形態では，折れ込み情報をファイルに登録するか否かの設定である登録設定が記憶されていない場合には，折れ込み情報をファイルに登録するか否かをユーザに問い合わせる。問い合わせの結果は，登録設定として記憶する。すなわち，Ｓ１０５でのユーザへの問い合わせは，ブックスキャン処理中，１回のみであり，その後は，記憶されている登録設定に従う。なお，あらかじめブックスキャン処理の開始前や開始直後（Ｓ１０１）に登録設定がなされた場合には，その登録設定を読み出してもよい。
【００４７】
折れ込みに関する情報をファイルに登録する場合には（Ｓ１０５：ＹＥＳ），折れ込みが抽出された画像データに対する折れ込み情報を作成する（Ｓ１０６）。折れ込み情報としては，折れ込みの有無，さらには折れ込みの位置に関する情報が含まれる。折れ込みの位置としては，右上，右下，左上，左下の４分類からなる相対位置情報が作成される。折れ込みに関する情報をファイルに登録しない場合には（Ｓ１０５：ＮＯ），Ｓ１０６の処理を回避する。
【００４８】
Ｓ１０６の後，あるいは折れ込みに関する情報をファイルに登録しない場合（Ｓ１０５：ＮＯ），あるいは折れ込みが抽出されなかった場合には（Ｓ１０４：ＮＯ），Ｓ１０２で読み取った原稿に対するスキャン情報を作成する（Ｓ１０７）。スキャン情報としては，Ｓ１０２で取得した画像データが含まれる。また，Ｓ１０６にて作成した折れ込み情報がある場合には，スキャン情報にその折れ込み情報が含まれる。
【００４９】
次に，次ページの原稿があるか否かを判断する（Ｓ１０８）。次ページの有無は，ユーザに問い合わせて判断する。なお，所定時間内にスタートキーが押下され次の原稿の読み取りが指令された場合に，次のページが有ると判断してもよい。次のページが有る場合（Ｓ１０８：ＹＥＳ），すなわち原稿の読み取りを継続する場合には，Ｓ１０２に移行して次のページの原稿を読み取る。
【００５０】
次のページが無い場合には（Ｓ１０８：ＮＯ），これまで作成したスキャン情報を利用して，読み取った画像データを全て記憶するファイルを作成するファイル作成処理を実行する（Ｓ１０９）。ファイル形式としては，一般的なファイル形式（例えば，ＰＤＦファイル）であっても，専用のファイル形式であってもよい。
【００５１】
ここで，Ｓ１０９のファイル作成処理について，図７のフローチャートを参照しつつ説明する。ファイル作成処理では，先ず，何も登録されていない初期状態のファイルを作成する（Ｓ１２０）。ファイルは，画像データを記憶する画像データ領域（画像領域に相当）と，画像データ以外の領域を記憶するヘッダ領域（非画像領域に相当）とを有する。
【００５２】
次に，最初に読み取られた原稿のスキャン情報を取得する（Ｓ１２１）。そして，分割モードの設定がなされているか否かを判断する（Ｓ１２２）。分割モードの設定は，Ｓ１０１で取得した初期設定に含まれる。
【００５３】
分割モードの設定がなされている場合には（Ｓ１２２：ＹＥＳ），Ｓ１０２で取得した画像データを解析し，左側のページと右側のページとに分割する（Ｓ１２３）。見開き原稿を読み取った場合，図６に示すように，その画像データ９の中央を縦断する黒色領域９３（「綴じ部」に相当）が存在する。左側のページと右側のページとの分割は，例えばこの黒色領域９３を抽出し，黒色領域９３を境界として左側のページの画像データ９Ｌと右側のページの画像データ９Ｒとに分割することができる。あるいは，原稿の画像データ９の左右方向の寸法に基づいて，画像データを左右２等分に分割してもよい。
【００５４】
さらに，スキャン情報に含まれる折れ込み情報を変更する（Ｓ１２４）。すなわち，分割した結果，折れ込みがなくなる画像のページについては，折れ込み無しに変更する。また，分割した後は，折れ込み位置として左右の情報は不要であるため，折れ込み位置の情報を上下左右の４分類から上下の２分類に変更する。
【００５５】
Ｓ１２４の後は，分割後の画像データごとに，スキャン情報を作成する。そして，右開きか左開きかの設定に基づいて，分割後の２つのスキャン情報を，ページ順に，Ｓ１２０で作成したファイルに登録する（Ｓ１２５）。また，Ｓ１２５では，スキャン情報に折れ込み情報が含まれる場合には，その折れ込み情報をページ番号と対応付けて一時的に記憶する。
【００５６】
一方，分割モードの設定がなされていない場合，すなわち非分割モードの場合には（Ｓ１２２：ＮＯ），スキャン情報に含まれる画像データを，１ページ分のデータとして，Ｓ１２０で作成したファイルに登録する（Ｓ１４１）。すなわち，実際の原稿では２ページ分となる見開き原稿であったとしても，１ページ分の画像データとして扱う。また，Ｓ１４１では，スキャン情報に折れ込み情報が含まれる場合には，その折れ込み情報をページ番号と対応付けて一時的に記憶する。
【００５７】
Ｓ１２５の後，あるいはＳ１４１の後，次のページのスキャン情報があるか否かを判断する（Ｓ１２６）。次のページのスキャン情報がある場合には（Ｓ１２６：ＹＥＳ），Ｓ１２１に戻り，そのページについてのファイルへの登録を行う。
【００５８】
次のページのスキャン情報がない場合には（Ｓ１２６：ＮＯ），ファイルのヘッダ情報を作成する（Ｓ１２７）。具体的には，図８に示すように，Ｓ１２０で作成したファイル７は，画像データ以外の情報を記憶するヘッダ領域７０と，これまで読み取った原稿の画像データを記憶する画像データ領域７１とを有する。そして，Ｓ１２７では，ページごとの折れ込み情報の内容をヘッダ領域７０に書き込む。折れ込み情報は，折れ込みの有無とページ番号とが対応付けられた情報であり，さらに折れ込みが有る場合には位置情報も付加される。この折れ込み情報は，画像データ領域７１以外の領域であるヘッダ領域７０（非画像領域の一例）に書き込まれるため，画像には影響しない。これにより，折れ込みに関する情報が書き込まれたファイルが完成する。Ｓ１２７の後，ファイルを閉じ，Ｓ１０９のファイル作成処理を終了する。
【００５９】
Ｓ１０９の後は，そのファイルを所定の記憶装置に出力する（Ｓ１１０）。所定の記憶装置としては，ＭＦＰ自身のＮＶＲＡＭ３４，ＵＳＢインターフェース３８に接続されるフラッシュメモリ，あるいはネットワークインターフェース３６を介して接続するＰＣ等が該当する。Ｓ１１０の後は，ブックスキャン処理を終了する。
【００６０】
なお，上記のブックスキャン処理では，各ページの折れ込み情報をファイルのヘッダ領域に纏めて書き込んでいるが，折れ込み情報の書き込み先はヘッダ領域に限るものではない。例えば，図９に示すように，画像データを記憶するファイル７５が，ファイル全般に関するを記憶するヘッダ領域７６と，ページごとに画像データを記憶する画像データ領域（図９中の７８１，７８２，７８３）と，各ページの画像データごとに画像データ以外のデータを記憶する非画像領域（図９中の７７１，７７２，７７３）とを有するファイル形式であれば，折れ込み情報を各ページの非画像領域にそれぞれ書き込むようにしてもよい。この場合，Ｓ１２５あるいはＳ１４１にて画像データをファイルに登録する際に，折れ込み情報も画像データと合わせて登録すればよい。
【００６１】
具体的に，例えばＰＤＦファイルを作成する場合には，ＰＤＦファイルにしおり情報を書き込むエリアが有る。このしおり情報を書き込むエリアに，折れ込み情報を書き込むことができる。
【００６２】
［ビューワ］
続いて，ブックスキャン処理によって作成されたファイルに記憶されている画像データを表示するビューワについて説明する。ビューワは，ＭＦＰ１００に組み込まれているものであってもよいし，ＰＣ等の情報処理装置に組み込まれているものであってもよい。
【００６３】
ブックスキャン処理によって作成されたファイルには，折れ込み情報が記憶されている。そのため，折れ込み情報を読み出すことで，折れ込みがあるページの頭出しが可能になる。例えば，図１０に示すように，ビューワ８の画像表示領域８０外に，折れ込みがあるページの一覧画面８１を表示する。そして，一覧画面８１に表示されているページが選択された場合，その選択されたページに対応する画像を表示するように構成する。
【００６４】
また，折れ込み情報としては，折れ込みの位置も記憶されている。そのため，ビューワ８は，折れ込みの位置によって，一覧画面８１に表示される内容を変えることができる。例えば，「右上」，「左下」等の位置の情報を，ページ情報の文字列に組み込むことができる。また，上側に位置する折れ込みと，下側に位置する折れ込みとで，文字の大きさが異なるように表示できる。また，例えば，上側（あるいは下側）に位置する折れ込みのページ番号のみを表示するようにできる。
【００６５】
以上詳細に説明したように本形態のＭＦＰ１００は，ブックスキャンモードでの原稿の読み取りの際，読み取った原稿に折れ込みが有るか否かを判断する。そして，原稿に折れ込みがあった場合，読み取った原稿に折れ込みがあることを示す情報を，その読み取った原稿の画像データを記憶するファイルの非画像領域に書き込む。これにより，原稿の内容を電子化するにあたって，原稿に付けられた折れ込みの情報を，その原稿の画像データを記憶するファイルに引き継ぐことができる。さらに，折れ込み情報は，ファイルの非画像領域に書き込まれるため，ファイルの画像データ領域に記憶される画像データへの影響は少ない。つまり，画質への影響は少ない。
【００６６】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，スキャナ，ＦＡＸ等，画像読み取り機能を備えるものであれば適用可能である。また，書籍の読み取り専用のスキャナであってもよい。
【００６７】
また，実施の形態の画像読取部２は，原稿の読取面を下側にし，ＦＢガラス１１の下側にあるイメージセンサ１５によって原稿を下側から読み取っているが，画像読取部２の構成をこれに限るものではない。例えば，カメラを原稿の上側に配置し，原稿を上側から読み取ってもよい。また，原稿を上側から読み取る構成では，例えば，原稿の載置台を基点として所定の高さに紙があるか否かによって折れ込みがあるか否かを判断してもよい。
【００６８】
また，実施の形態では，ＭＦＰ１００自身（画像読取装置自身）が折れ込みの有無を判断し，折れ込み情報を反映したファイルを作成しているが，折れ込みの有無の判断やファイルの作成はＭＦＰ１００以外の装置が行ってもよい。例えば，スキャナとＰＣとを有するシステムの場合，スキャナが見開き原稿の読み取りを行い，ＰＣが折れ込みの有無の判断とファイルの作成とを行うように構成してもよい。また，ＰＣが折れ込みの有無の判断とファイルの作成との一方を行い，他方をスキャナが行うように構成してもよい。
【００６９】
また，実施の形態では，折れ込みを抽出した際，すなわちスキャン情報を作成する前に折れ込み情報をファイルに含ませるか否かを判断し（Ｓ１０６），折れ込み情報が不要な場合には折れ込み情報を書き込まないようにしているが，折れ込み情報を無効にする方法としてはこれに限るものではない。例えば，折れ込みを抽出した際にはその折れ込み情報をスキャン情報に含むものとし，折れ込み情報をファイルに書き込む際（Ｓ１２７）に，折れ込み情報を含ませるか否かを判断し，折れ込み情報が不要な場合には折れ込み情報をファイルに書き込まないようにしてもよい。
【００７０】
また，実施の形態では，折れ込みの位置として，上下左右の相対位置情報が作成されるが，座標等の絶対位置情報を作成してもよい。また，相対位置情報と絶対位置情報との両方を作成してもよい。
【００７１】
また，実施の形態では，折れ込みの位置に基づく分類を行っているが，折れ込みの分類は位置に限るものではない。例えば，折れ込みの面積（図６中の直角三角形の画像９０の面積）に応じて大中小に分類してもよい。
【符号の説明】
【００７２】
１      画像形成部
２      画像読取部
１１    ＦＢガラス
２０    ＡＤＦ
３０    制御装置
１００  ＭＦＰ
【図１】
0005263309.tif 000002
【図２】
0005263309.tif 000003
【図３】
0005263309.tif 000004
【図４】
0005263309.tif 000005
【図５】
0005263309.tif 000006
【図６】
0005263309.tif 000007
【図７】
0005263309.tif 000008
【図８】
0005263309.tif 000009
【図９】
0005263309.tif 000010
【図１０】
0005263309.tif 000011